(57)【要約】【課題】コンピュータ処理専用の画像データおよびこの画像データを情報源とするデジタルビデオ機器専用の画像データを記録した記録媒体から、双方の画像データを簡易に再生する。【解決手段】ＤＶＤ−Ｖｉｄｅｏ形式またはＶｉｄｅｏ−ＣＤ形式の画像データおよびコンピュータ処理専用の画像データが記録された記録媒体Ｍをメディアドライブ３１にセットする。記録媒体Ｍに記録されたＤＶＤ−Ｖｉｄｅｏ形式またはＶｉｄｅｏ−ＣＤ形式の画像データを記録した画像領域およびコンピュータ処理専用の画像データを記録した画像領域の選択を受け付ける選択画面をテレビ３に表示し、選択された画像領域に書き込まれた画像データを再生する。【選択図】　　　　　図５
2004064200.tif 000002
【特許請求の範囲】
【請求項１】
コンピュータ処理専用の第１の画像データを記録した第１の画像記録領域および該第１の画像データを情報源とするデジタルビデオ機器専用の第２の画像データを記録した第２の画像記録領域を有する記録媒体に記録された前記第１および前記第２の画像データを再生する画像再生方法であって、
前記第１および前記第２の画像領域の選択を受け付ける選択画面を表示手段に表示し、
前記選択画面において前記第１および前記第２の画像領域の選択を受け付け、
前記第１の画像領域が選択された場合は、該第１の画像領域に記録された前記第１の画像データを再生し、
前記第２の画像領域が選択された場合は、該第２の画像領域に記録された前記第２の画像データを再生することを特徴とする画像再生方法。
【請求項２】
コンピュータ処理専用の第１の画像データを記録した第１の画像記録領域および該第１の画像データを情報源とするデジタルビデオ機器専用の第２の画像データを記録した第２の画像記録領域を有する記録媒体に記録された前記第１および前記第２の画像データを再生する画像再生装置であって、
前記第１および前記第２の画像領域の選択を受け付ける選択画面を表示手段に表示する表示制御手段と、
前記選択画面において前記第１および前記第２の画像領域の選択を受け付ける選択受け付け手段と、
前記第１の画像領域が選択された場合は、該第１の画像領域に記録された前記第１の画像データを再生し、前記第２の画像領域が選択された場合は、該第２の画像領域に記録された前記第２の画像データを再生する再生制御手段とを備えたことを特徴とする画像再生装置。
【請求項３】
コンピュータ処理専用の第１の画像データを記録した第１の画像記録領域および該第１の画像データを情報源とするデジタルビデオ機器専用の第２の画像データを記録した第２の画像記録領域を有する記録媒体に記録された前記第１および前記第２の画像データを再生する画像再生方法をコンピュータに実行させるためのプログラムであって、
前記第１および前記第２の画像領域の選択を受け付ける選択画面を表示手段に表示する手順と、
前記選択画面において前記第１および前記第２の画像領域の選択を受け付ける手順と、
前記第１の画像領域が選択された場合は、該第１の画像領域に記録された前記第１の画像データを再生する手順と、
前記第２の画像領域が選択された場合は、該第２の画像領域に記録された前記第２の画像データを再生する手順とを有するプログラム。
【発明の詳細な説明】
【０００１】
【発明の属する技術分野】
本発明は、例えばデジタルカメラにより取得したコンピュータ読み取り可能な形式の画像データと、ＤＶＤ−ＶｉｄｅｏまたはＶｉｄｅｏ−ＣＤ形式の再生装置において読み取り可能な形式の画像データとを記録した記録媒体に記録された画像データを再生する画像再生方法および装置並び画像再生方法をコンピュータに実行させるためのプログラムに関するものである。
【０００２】
【従来の技術】
デジタルカメラ等において撮影により取得したデジタルの静止画像データや動画像データは、コンピュータ読取り可能な記録形式により、メモリカード、ＣＤ−Ｒ等の記録媒体に記録される。このため、デジタルカメラにより取得した静止画像データや動画像データ（以下単に画像データとする）を再生するためには、画像データを再生するソフトウェアをインストールしたコンピュータを起動する必要があり、画像データを閲覧するのが非常に面倒である。また、コンピュータが設備として必要となり、さらには画像データの閲覧ソフトウェアをコンピュータにインストールする必要がある。
【０００３】
ところで、ＤＶＤプレーヤーは、ＤＶＤに記録されたＤＶＤ−Ｖｉｄｅｏ形式の動画像データや、ＣＤに記録されたＶｉｄｅｏ−ＣＤ形式の動画像データを家庭用のテレビにおいて再生したり、ＣＤに記録された音楽を再生して楽しむことができる。一方、ＤＶＤやＣＤ等の記録媒体に記録された静止画像を表す静止画像データをＤＶＤプレーヤーにより表示することも可能となってきている。これにより、デジタルカメラにより取得した画像データや、フイルムに記録された画像を読み取ることにより得た画像データを記録媒体に記録すれば、自身が撮影した画像を家庭用のテレビに表示して家族や友人とともに楽しむことができる。
【０００４】
一方、コンピュータ処理専用の画像データを記録した第１の画像領域およびこの画像データを情報源とするデジタルビデオ機器専用の画像データを記録した第２の画像領域とを備えた記録媒体が提案されている。この記録媒体を用いることにより、コンピュータのみならず、ＤＶＤプレーヤーのようなデジタルビデオ機器においても、デジタルカメラにおいて取得した画像と同一の画像をデジタルビデオ機器に接続されたテレビにおいて再生することができることとなる。
【０００５】
【発明が解決しようとする課題】
しかしながら、静止画像データを再生可能なＤＶＤプレーヤーにおいて、上述したようにコンピュータ処理専用の画像データを記録した第１の画像領域およびこの画像データを情報源とするデジタルビデオ機器専用の画像データを記録した第２の画像領域とを備えた記録媒体に記録された画像データを再生しようとした場合、双方の画像領域を認識できないため、コンピュータ処理専用の画像データおよびデジタルビデオ機器専用の画像データのいずれをも再生できないという問題がある。また、再生できたとしても、デジタルビデオ機器専用の画像データのみであることが多い。
【０００６】
一方、コンピュータの場合は、ファイル管理ソフトウェアを用いて記録媒体の階層をたどっていけば、コンピュータ処理専用の画像データおよびこの画像データを情報源とするデジタルビデオ機器専用の画像データの双方を再生することが可能である。しかしながら、記録媒体の階層をたどっていく作業は非常に面倒であり、また、上述したようにコンピュータを起動する手間が掛かるという問題もある。
【０００７】
本発明は上記事情に鑑みなされたものであり、コンピュータ処理専用の画像データおよびこの画像データを情報源とするデジタルビデオ機器専用の画像データを記録した記録媒体から、双方の画像データを簡易に再生することを目的とする。
【０００８】
【課題を解決するための手段】
本発明による画像再生方法は、コンピュータ処理専用の第１の画像データを記録した第１の画像記録領域および該第１の画像データを情報源とするデジタルビデオ機器専用の第２の画像データを記録した第２の画像記録領域を有する記録媒体に記録された前記第１および前記第２の画像データを再生する画像再生方法であって、
前記第１および前記第２の画像領域の選択を受け付ける選択画面を表示手段に表示し、
前記選択画面において前記第１および前記第２の画像領域の選択を受け付け、
前記第１の画像領域が選択された場合は、該第１の画像領域に記録された前記第１の画像データを再生し、
前記第２の画像領域が選択された場合は、該第２の画像領域に記録された前記第２の画像データを再生することを特徴とするものである。
【０００９】
本発明による画像再生装置は、コンピュータ処理専用の第１の画像データを記録した第１の画像記録領域および該第１の画像データを情報源とするデジタルビデオ機器専用の第２の画像データを記録した第２の画像記録領域を有する記録媒体に記録された前記第１および前記第２の画像データを再生する画像再生装置であって、
前記第１および前記第２の画像領域の選択を受け付ける選択画面を表示手段に表示する表示制御手段と、
前記選択画面において前記第１および前記第２の画像領域の選択を受け付ける選択受け付け手段と、
前記第１の画像領域が選択された場合は、該第１の画像領域に記録された前記第１の画像データを再生し、前記第２の画像領域が選択された場合は、該第２の画像領域に記録された前記第２の画像データを再生する再生制御手段とを備えたことを特徴とするものである。
【００１０】
なお、本発明による画像再生方法をコンピュータに実行させるためのプログラムとして提供してもよい。
【００１１】
【発明の効果】
本発明によれば、コンピュータ処理専用の第１の画像データを記録した第１の画像領域および第１の画像データを情報源とするデジタルビデオ機器専用の第２の画像データを記録した第２の画像領域を有する記録媒体に記録された第１および第２の画像データを再生するに際し、第１および第２の画像領域の選択を受け付ける選択画面が表示手段に表示され、この選択画面において第１および第２の画像領域の選択が受け付けられる。そして、第１の画像領域が選択された場合は、第１の画像領域に記録された第１の画像データが再生され、第２の画像領域が選択された場合は第２の画像領域に記録された第２の画像データが再生される。このため、コンピュータ処理専用の第１の画像データを記録した第１の画像領域および第１の画像データを情報源とするデジタルビデオ機器専用の第２の画像データを記録した第２の画像領域を有する記録媒体について、第１および第２の領域に記録された第１および第２の画像データを選択的に簡易に再生することができる。
【００１２】
【発明の実施の形態】
以下図面を参照して本発明の実施形態について説明する。図１は本実施形態に用いられる記録媒体のデータ構成を示すデータマップであり、図１（ａ）はＤＶＤ方式の記録媒体、図１（ｂ）はＣＤ方式の記録媒体を示す。
【００１３】
本実施形態に用いられる記録媒体のデータ構成は、図１（ａ）に示すＤＶＤ方式の記録媒体の場合、ＤＶＤ−ＲＯＭ１内にＤＶＤ−Ｖｉｄｅｏ再生装置用の画像領域１１と、コンピュータ処理用の画像領域１２とを含む。また、図１（ｂ）に示すＣＤ方式の記録媒体の場合、ＣＤ−ＲＯＭ２内に、Ｖｉｄｅｏ−ＣＤ再生装置用の画像領域２１と、コンピュータ処理用の画像領域２２とを含む。
【００１４】
ＤＶＤ−Ｖｉｄｅｏ再生装置用の画像領域１１には、ＤＶＤ−Ｖｉｄｅｏ再生装置で再生することが可能なデータ形式を備えたデジタルの画像データ（以下、ＤＶＤ−Ｖｉｄｅｏ形式の画像データとする）が書き込まれ、Ｖｉｄｅｏ−ＣＤ再生装置用の画像領域２１には、Ｖｉｄｅｏ−ＣＤ再生装置で再生することが可能なデータ形式を備えたデジタルの画像データ（以下Ｖｉｄｅｏ−ＣＤ形式の画像データとする）が書き込まれている。コンピュータ処理用の画像領域１２，２２には、パソコン等のコンピュータを使用して、記録、再生、およびプリントが可能なデータ形式を備えたデジタルの画像データが書き込まれている。
【００１５】
コンピュータ処理用の画像領域１２，２２には、デジタルカメラのファイル規格であるＤＣＦ（Ｄｅｓｉｇｎ　ｒｕｌｅ　ｆｏｒ　Ｃａｍｅｒａ　Ｆｉｌｅ　ｓｙｓｔｅｍ）に則り、画像データを記録する。プリント用の画像データを特定するため、ＤＣＦ規格のコマ番号を利用することにより、外部にプリント依頼する場合の画像データの特定が可能となる。
【００１６】
図２は、本実施形態に用いられる記録媒体の画像領域のデータ構成を示すデータマップであり、図２（ａ）は、ＤＶＤ−Ｖｉｄｅｏ再生装置用の画像領域１１の、図２（ｂ）はＶｉｄｅｏ−ＣＤ再生装置用の画像領域２１の、図２（ｃ）はコンピュータ処理用の画像領域１２の、図２（ｄ）はコンピュータ処理用の画像領域２２のデータ構成をそれぞれ示す。
【００１７】
図２（ａ）において、ＤＶＤ−Ｖｉｄｅｏ再生装置用の画像領域１１のデータ構成は、ＤＶＤ−Ｖｉｄｅｏ用ディレクトリ領域１１１と、ＤＶＤ−Ｖｉｄｅｏ用画像データ領域１１２とを含む。図２（ｂ）において、Ｖｉｄｅｏ−ＣＤ再生装置用の画像領域２１のデータ構成は、Ｖｉｄｅｏ−ＣＤ用ディレクトリ領域２１１と、Ｖｉｄｅｏ−ＣＤ用画像データ領域２１２とを含む。図２（ｃ）において、コンピュータ処理用の画像領域１２のデータ構成は、ＣＰＵ用ディレクトリ領域１２１と、ＣＰＵ用画像データ領域１２２とを含む。図２（ｄ）において、コンピュータ処理用の画像領域２２のデータ構成は、ＣＰＵ用ディレクトリ領域２２１と、ＣＰＵ用画像データ領域２２２とを含む。
【００１８】
ＤＶＤ−Ｖｉｄｅｏ用ディレクトリ領域１１１には、例えば図３（ａ）で後述するようなファイル情報が書き込まれている。また、ＤＶＤ−Ｖｉｄｅｏ用画像データ領域１１２には、ＤＶＤ−Ｖｉｄｅｏ形式の画像データが書き込まれている。
【００１９】
Ｖｉｄｅｏ−ＣＤ用ディレクトリ領域２１１には、例えば図３（ｂ）で後述するようなファイル情報が書き込まれている。また、Ｖｉｄｅｏ−ＣＤ用画像データ領域２１２には、Ｖｉｄｅｏ−ＣＤ形式の画像データが書き込まれている。
【００２０】
ＣＰＵ用ディレクトリ領域１２１には、例えば図３（ｃ）で後述するようなファイル情報が書き込まれている。また、ＣＰＵ用画像データ領域１２２には、ＤＶＤ−Ｖｉｄｅｏ再生装置を備えたコンピュータを使用して、記録、再生およびプリントすることが可能なデータ形式を備えたデジタルの画像データが書き込まれている。
【００２１】
ＣＰＵ用ディレクトリ領域２２１には、例えば図３（ｃ）で後述するようなファイル情報が書き込まれている。また、ＣＰＵ用画像データ領域２２２には、Ｖｉｄｅｏ−ＣＤ再生装置を備えたコンピュータを使用して、記録、再生およびプリントすることが可能なデータ形式を備えたデジタルの画像データが書き込まれている。
【００２２】
図３は、本実施形態において用いられる記録媒体の画像領域に含まれるディレクトリ領域の情報例を示す図であり、図３（ａ）はＤＶＤ−Ｖｉｄｅｏ用ディレクトリ領域１１１に、図３（ｂ）はＶｉｄｅｏ−ＣＤ用ディレクトリ領域２１１に、図３（ｃ）はＣＰＵ用ディレクトリ領域１２１，２２１にそれぞれ含まれる情報例を示す。これらの各ディレクトリ領域には、それぞれに対応する画像データ領域に書き込まれている画像データに付与されるファイル名、画像データにアクセスするために必要な位置情報、画像データの圧縮方式、誤り訂正コードを含む符号化方式、および符号化に必要な暗号キー等の情報を書き込むことができる。
【００２３】
具体的には、ＤＶＤ用ディレクトリ領域１１１において、￥Ｖｉｄｅｏ＿ＴＳはデジタルビデオ機器用ビデオ情報のディレクトリを表し、このディレクトリには、ビデオ管理情報（ＶＩＤＥＯ＿ＴＳ．ＩＦＯ）、ビデオ管理情報バックアップ（ＶＩＤＥＯ＿ＴＳ．ＢＵＰ）、ビデオタイトルセット情報（ＶＴＳ＿０１＿０．ＩＦＯ）、タイトルのビデオオブジェクトセット情報（ＶＴＳ＿０１＿０．ＶＯＢ，ＶＴＳ＿０１＿１．ＶＯＢ，ＶＴＳ＿０１＿２．ＶＯＢ）（すなわち動画像データファイル）、およびビデオタイトルセット情報バックアップ（ＶＴＳ＿０１＿０．ＢＵＰ）が書き込まれている。
【００２４】
また、Ｖｉｄｅｏ−ＣＤ用ディレクトリ領域２１１において、￥ＭＰＥＧＡＶおよび￥ＳＥＧＭＥＮＴは動画像データファイル用のディレクトリであり、￥ＶＣＤはＶｉｄｅｏ−ＣＤ形式のファイル用のディレクトリである。ここで、ＩＮＦＯ．ＶＣＤはＶｉｄｅｏ−ＣＤ情報であり、Ｖｉｄｅｏ−ＣＤのバージョン情報やトラック構成等が記録してある。
【００２５】
また、ＣＰＵ用ディレクトリ領域１２１，２２１において、￥ＤＣＩＭはＤＣＦ規格に基づくデジタルカメラのオリジナル画像を書き込むディレクトリであり、その下位に￥１００＿ＦＵＪＩのディレクトリが作成されてここにデジタルカメラにおいて取得したＪＰＥＧ形式の静止画像データやＡＶＩ形式の動画像データが書き込まれる。また、￥ＦＰＶＩＮＤＥＸはパソコンで画像を見るためのｈｔｍｌファイルを構成する画像データを書き込むディレクトリであり、その下位に￥１００＿ＦＵＪＩのディレクトリが作成されてここにｈｔｍｌ形式のファイルや、静止画像および動画像のサムネイルファイル（ＴＨＵＭＸＸＸ．ＪＰＧ）が書き込まれる。また、￥ＴＥＭＰＬＡＴＥはｈｔｍｌファイルの部品を書き込むディレクトリである。
【００２６】
図４は、本実施形態に用いられる記録媒体の画像データ領域に書き込まれる画像データの例を示す図であり、図４（ａ）はＤＶＤ−Ｖｉｄｅｏ用画像データ領域１１２に、図４（ｂ）はＶｉｄｅｏ−ＣＤ用画像データ領域２１２にそれぞれ書き込まれる画像データを示す。
【００２７】
ＤＶＤ−Ｖｉｄｅｏ用画像データ領域１１２には、ＣＰＵ用画像データ領域１２２に書き込まれている画像データの１コマ（動画像データについても１コマと称する）毎に、画像データをＤＶＤ−Ｖｉｄｅｏ形式に合わせてリサイズした画像の反復映像が記録されている。この反復記録数は、例えば画像データが静止画像を表すものである場合、各静止画像をそれぞれ例えば５秒間だけスライドショー形式の動画像として再生することが可能な数とする。
【００２８】
また、ＤＶＤ−Ｖｉｄｅｏ用画像データ領域１１２の記録に際しては、ＤＶＤの字幕ストリーム用の領域（コマ番号や撮影日時等の文字情報の記録が可能）の設定、画面切換時における各コマ間における２ワイプ、ディゾルブ等の切換エフェクトの設定、各画像データに対する音声データの設定、および音声データのフェードイン、フェードアウト等の設定を行うことが可能であり、このように設定を行うことにより、画像中に字幕を表示したり、画像再生中に音声を再生したり、画像が切り換わる際に所望の視覚効果や音声効果を与えることができる。
【００２９】
Ｖｉｄｅｏ−ＣＤ用画像データ領域２１２には、ＣＰＵ用画像データ領域２２２に書き込まれている画像データの１コマ（動画像データについても１コマと称する）毎に、画像データをＶｉｄｅｏ−ＣＤ形式に合わせてリサイズした画像の反復映像が記録されている。この反復記録数は、例えば画像データが静止画像を表すものである場合、各静止画像をそれぞれ例えば５秒間だけスライドショー形式の動画像として再生することが可能な数とする。
【００３０】
また、Ｖｉｄｅｏ−ＣＤ用画像データ領域２１２の記録に際しては、ＣＤの字幕ストリーム用の領域（コマ番号や撮影日時等の文字情報の記録が可能）の設定および各画像データに対する音声データの設定を行うことが可能であり、このように設定を行うことにより、画像中に字幕を表示したり、画像再生中に音声を再生することができる。
【００３１】
図５は、本実施形態による画像再生装置を適用したＤＶＤプレーヤーの構成を示す概略ブロック図である。本実施形態によるＤＶＤプレーヤーは上述したようにＤＶＤ−Ｖｉｄｅｏ形式の画像データおよびコンピュータ処理用の画像データが記録されたＤＶＤ−ＲＯＭ並びにＶｉｄｅｏ−ＣＤ形式の画像データおよびコンピュータ処理専用の画像データが記録されたＣＤ−ＲＯＭに記録された画像データを再生するためのものである。
【００３２】
図５に示すように、本実施形態によるＤＶＤプレーヤー３０は、上述したようにＤＶＤ−Ｖｉｄｅｏ形式またはＶｉｄｅｏ−ＣＤ形式の画像データおよびコンピュータ処理用の画像データが記録された記録媒体Ｍの挿入を受け付けて記録媒体Ｍに記録された画像データを読み出すメディアドライブ３１と、画像データをデコードするデコーダー３２と、画像データを再生等するためのプログラムや種々の情報を記録したＲＯＭ３３と、種々のデータを一時的に記憶したり、処理の作業領域となるＲＡＭ３４と、リモコン３５からの操作を受け付ける受信部３６と、テレビ３を接続するためのテレビ端子３７と、メモリカードリーダー、ハードディスク、プリンタ等の外部機器を接続するためのＵＳＢ、ＩＥＥＥ等の規格からなる入出力端子３８と、メディアドライブ３１、デコーダー３２、ＲＯＭ３３、ＲＡＭ３４、受信部３６、テレビ端子３７および入出力端子３８を制御するＣＰＵ３９とを備える。
【００３３】
記録媒体Ｍにはパソコン４において、デジタルカメラ５により取得された画像データおよびこの画像データを情報源とするＤＶＤ−Ｖｉｄｅｏ形式またはＶｉｄｅｏ−ＣＤ形式の画像データが記録される。
【００３４】
ここで、記録媒体Ｍに記録される画像データは、それぞれＭＰＥＧ、ＪＰＥＧ等の形式により圧縮されている。デコーダー３２は、記録媒体Ｍに記録された圧縮された画像データを解凍し、再生のためにテレビ端子３７に入力するものである。
【００３５】
ＲＯＭ３３には、ＤＶＤプレーヤー３０の動作プログラムが記録される。この動作プログラムは、データの再生を含む種々の動作をＣＰＵ３９に行わせるものであり、その操作は受信部３６が受信したリモコン３５の操作に基づいて行われる。
【００３６】
ここで、記録媒体Ｍがメディアドライブ３１に挿入された場合には、まず、記録媒体ＭがＤＶＤ−ＲＯＭであるかＣＤ−ＲＯＭであるか否かが判定され、ＤＶＤ−ＲＯＭである場合には、ＤＶＤ−Ｖｉｄｅｏ再生装置用の画像領域１１およびコンピュータ処理用の画像領域１２が記録されているか否かが判定される。一方、ＣＤ−ＲＯＭである場合には、Ｖｉｄｅｏ−ＣＤ再生装置用の画像領域２１およびコンピュータ処理用の画像領域２２が記録されているか否かが判定される。
【００３７】
そして、判定結果に基づいて、記録媒体Ｍに２以上の画像領域が記録されている場合には、全ての画像領域の選択を受け付ける選択画面が生成されて、テレビ３に表示される。
【００３８】
図６は選択画面の例を示す図であり、図６（ａ）は、記録媒体ＭがＤＶＤ−ＲＯＭであって、ＤＶＤ−ＲＯＭにＤＶＤ−Ｖｉｄｅｏ再生装置用の画像領域１１およびコンピュータ処理用の画像領域１２が記録されている場合の選択画面を、図６（ｂ）は、記録媒体ＭがＣＤ−ＲＯＭであって、ＣＤ−ＲＯＭにＶｉｄｅｏ−ＣＤ再生装置用の画像領域２１およびコンピュータ処理用の画像領域２２が記録されている場合の選択画面をそれぞれ示す。
【００３９】
図６（ａ）に示すように、ＤＶＤ−ＲＯＭにＤＶＤ−Ｖｉｄｅｏ再生装置用の画像領域１１およびコンピュータ処理用の画像領域１２が記録されている場合には、「ＤＶＤ」および「ＰＣ」のコマンドが表示される。また、図６（ｂ）に示すように、ＣＤ−ＲＯＭにＶｉｄｅｏ−ＣＤ再生装置用の画像領域２１およびコンピュータ処理用の画像領域２２が記録されている場合には、音楽ＣＤと混同しないように「ＶｉｄｅｏＣＤ」および「ＰＣ」のコマンドが表示される。
【００４０】
データの再生を行うユーザは、リモコン３５を操作してコマンドを選択する。これにより、選択したコマンドに応じたデータ選択画面がテレビ３に表示される。
【００４１】
図７は選択したコマンドに応じたデータ選択画面の例を示す図であり、図７（ａ）は「ＤＶＤ」のコマンドを選択した場合のデータ選択画面を、図７（ｂ）は「Ｖｉｄｅｏ−ＣＤ」のコマンドを選択した場合のデータ選択画面を、図７（ｃ）は「ＰＣ」のコマンドを選択した場合のデータ選択画面をそれぞれ示す。
【００４２】
図７（ａ）に示すように、「ＤＶＤ」のコマンドを選択した場合のデータ選択画面には、ＤＶＤ−Ｖｉｄｅｏ形式の画像データのタイトルが表示される。そして、所望とするタイトルをユーザがリモコン３５を用いて選択すると、選択したタイトルに対応する画像データが再生される。
【００４３】
図７（ｂ）に示すように、「ＶｉｄｅｏＣＤ」のコマンドを選択した場合には、Ｖｉｄｅｏ−ＣＤ形式の画像データのサムネイル画像の一覧からなるデータ選択画面が表示される。そして、データ選択画面において所望とするサムネイル画像をユーザがリモコン３５を用いて選択すると、選択したサムネイル画像に対応する画像データが再生される。
【００４４】
図７（ｃ）に示すように、「ＰＣ」のコマンドを選択した場合には、コンピュータ処理用の画像データのサムネイル画像の一覧からなるデータ選択画面が表示される。そして、データ選択画面において所望とするサムネイル画像をユーザがリモコン３５を用いて選択すると、選択したサムネイル画像に対応する画像データが再生される。なお、画像データの再生中にリモコンの左右ボタンを押下することにより、現在表示している画像データのファイル名が前後の画像データを順次表示することができる。
【００４５】
次いで、本実施形態の動作について説明する。図８は本実施形態において行われる処理を示すフローチャートである。まず、メディアドライブ３１に記録媒体Ｍが挿入されたか否かが監視されており（ステップＳ１）、ステップＳ１が肯定されると、挿入された記録媒体ＭがＤＶＤ−ＲＯＭであるかＣＤ−ＲＯＭであるかが判定される（ステップＳ２）。
【００４６】
挿入された記録媒体ＭがＣＤ−ＲＯＭであると判定された場合、ＣＤ−ＲＯＭの先頭部分にあるリードインエリアに記録されているトラックナンバーおよび各トラックナンバーの先頭時間データが記録されたＴＯＣ情報が読み出される（ステップＳ３）。そして、記録媒体ＭにＶｉｄｅｏ−ＣＤ再生装置用の画像領域２１が記録されているか否かが判定され（ステップＳ４）、ステップＳ４が肯定されるとＶｉｄｅｏ−ＣＤ情報が読み出される（ステップＳ５）。続いて、記録媒体Ｍにコンピュータ処理用画像領域２２が記録されているか否かが判定され（ステップＳ６）、ステップＳ６が肯定されると、コンピュータ処理用画像領域２２に書き込まれた画像データについて、再生のためにファイル名のリストが作成される（ステップＳ７）。なお、ステップＳ４が否定された場合はステップＳ６に進む。
【００４７】
一方、ステップＳ２において挿入された記録媒体ＭがＤＶＤ−ＲＯＭであると判定された場合、ＤＶＤ−ＲＯＭのディレクトリが読み出され（ステップＳ８）、記録媒体ＭにＤＶＤ−Ｖｉｄｅｏ再生装置用の画像領域１１が記録されているか否かが判定され（ステップＳ９）、ステップＳ９が肯定されるとビデオ管理情報が読み出される（ステップＳ１０）。続いて、記録媒体Ｍにコンピュータ処理用画像領域１２が記録されているか否かが判定され（ステップＳ１１）、ステップＳ１１が肯定されると、コンピュータ処理用画像領域１２に書き込まれた画像データについて、再生のためにファイル名のリストが作成される（ステップＳ１２）。なお、ステップＳ９が否定された場合はステップＳ１１に進む。
【００４８】
続いて、記録媒体Ｍに記録された画像領域が２以上であるか否かが判定される（ステップＳ１３）。なお、ステップＳ６およびステップＳ１１が否定された場合はステップＳ１３に進む。ステップＳ１３が肯定されると、図６に示す選択画面がテレビ３に表示される（ステップＳ１４）。続いて、選択画面においてユーザによりコマンドの選択がなされたか否かの監視が開始され（ステップＳ１５）、ステップＳ１５が肯定されると図７に示すデータ選択画面がテレビ３に表示される（ステップＳ１６）。なお、ステップＳ１３が否定された場合はステップＳ１６に進む。そして、このデータ選択画面において選択された画像データが再生され（ステップＳ１７）、処理を終了する。
【００４９】
このように、本実施形態においては、ＤＶＤ−Ｖｉｄｅｏ形式またはＶｉｄｅｏ−ＣＤ形式の画像データおよびコンピュータ処理用の画像データが記録された記録媒体Ｍに記録された画像データを再生するに際し、画像領域の選択を受け付ける選択画面をテレビ３に表示し、この選択画面において再生する画像データが書き込まれた画像領域を選択するようにしたものである。このため、ＤＶＤ−Ｖｉｄｅｏ形式またはＶｉｄｅｏ−ＣＤ形式の画像データおよびコンピュータ処理用の画像データが記録された記録媒体Ｍについて、各画像領域に記録された画像データを選択的に簡易に再生することができる。
【図面の簡単な説明】
【図１】本実施形態に用いられる記録媒体のデータ構成を示すデータマップ
【図２】本実施形態に用いられる記録媒体の画像領域のデータ構成を示すデータマップ
【図３】本実施形態に用いられる記録媒体の画像領域に含まれるディレクトリ領域の情報例を示す図
【図４】本実施形態に用いられる記録媒体の画像データ領域に書き込まれる画像データの例を示す図
【図５】本実施形態による画像再生装置を適用したＤＶＤプレーヤーの構成を示す概略ブロック図
【図６】選択画面の例を示す図
【図７】データ選択画面の例を示す図
【図８】本実施形態において行われる処理を示すフローチャート
【符号の説明】
１　　ＤＶＤ−ＲＯＭ
２　　ＣＤ−ＲＯＭ
３　　テレビ
４　　パソコン
５　　デジタルカメラ
１１　　ＤＶＤ−Ｖｉｄｅｏ再生装置用の画像領域
１２，２２　　コンピュータ処理用の画像領域
２１　　Ｖｉｄｅｏ−ＣＤ再生装置用の画像領域
３０　　ＤＶＤプレーヤー
３１　　メディアドライブ
３２　　デコーダー
３３　　ＲＯＭ
３４　　ＲＡＭ
３５　　リモコン
３６　　受信部
３７　　テレビ端子
３８　　入出力端子
３９　　ＣＰＵ
１１１　　ＤＶＤ−Ｖｉｄｅｏ用ディレクトリ領域
１１２　　ＤＶＤ−Ｖｉｄｅｏ用画像データ領域
１２１，２２１　　ＣＰＵ用ディレクトリ領域
１２２，２２２　　ＣＰＵ用画像データ領域
２１１　　Ｖｉｄｅｏ−ＣＤ用ディレクトリ領域
２１２　　Ｖｉｄｅｏ−ＣＤ用画像データ領域
【図１】
2004064200.tif 000003
【図２】
2004064200.tif 000004
【図３】
2004064200.tif 000005
【図４】
2004064200.tif 000006
【図５】
2004064200.tif 000007
【図６】
2004064200.tif 000008
【図７】
2004064200.tif 000009
【図８】
2004064200.tif 000010